(57)【要約】【課題】  アース板の取り付けを簡単な構造で容易に行なうこと。【解決手段】  アース板３の基端部３Ａの先端位置を略Ｖ字状に折り曲げることより形成された第１クランプ爪３ａと、該アース板の基端部３Ａの遊端部３Ｂ寄り位置から切り出されて第１クランプ爪３ａとは逆方向に折り曲げた第２クランプ爪３ｂとを有するクランプ部３Ｃが設けられており、アース板３の基端部３Ａをメイン基板２のアース孔２０に挿通して第１クランプ爪３ａの先端をメイン基板２のランド２２に当接させると共に、第２クランプ爪３ｂの先端をメイン基板２のランド２２に当接させ、トップカバー１ｂをボトムシャーシに嵌合させることにより、そのトップカバー１ｂをアース板３の遊端部３Ｂの先端に当接させるようにした。【選択図】        図３
2009081086.tif 000002
【特許請求の範囲】
【請求項１】
筐体のボトムシャーシ上にプリント配線基板からなるメイン基板が配置され、該メイン
基板に弾性変位可能な金属製アース板の基端部が固定され、前記筐体の金属製トップカバ
ーをボトムシャーシに嵌合させることにより、そのトップカバーをアース板の遊端部の先
端に当接させるようにした電子機器のアース接続装置において、前記メイン基板にアース
板の基端部を挿通するためのアース孔が貫設されると共に、該メイン基板のアース孔の周
辺にランドが形成され、前記アース板の基端部を折り曲げてクランプ部が形成されており
、アース板の基端部をアース孔に挿通してクランプ部をメイン基板に係合させ、トップカ
バーをボトムシャーシに嵌合させることにより、そのトップカバーをアース板の遊端部の
先端に当接させると共に、前記クランプ部をメイン基板のランドに当接させるようにした
ことを特徴とする電子機器のアース接続装置。
【請求項２】
前記クランプ部が、前記アース板の基端部の先端位置を略Ｖ字状に折り曲げることより
形成された第１クランプ爪と、該アース板の基端部の遊端部寄り位置から切り出されて第
１クランプ爪とは逆方向に折り曲げられた第２クランプ爪とを有し、その第１、第２クラ
ンプ爪の先端間の間隔がメイン基板の厚さよりも小さく設定されており、アース板の基端
部をアース孔に挿通して第１クランプ爪の先端をメイン基板の一面に形成したランドに当
接させると共に、第２クランプ爪の先端をメイン基板の他面に形成したランドに当接させ
るようにしたことを特徴とする請求項１に記載の電子機器のアース接続装置。
【請求項３】
前記アース板の遊端部が第２クランプ爪側に折り曲げられて該アース板の基端部に対し
て所定角度傾斜されていることを特徴とする請求項２に記載に電子機器の接続装置。
【請求項４】
筐体のボトムシャーシ上にプリント配線基板からなるメイン基板が配置され、該メイン
基板に弾性変位可能な金属製アース板の基端部が固定され、前記筐体の金属製トップカバ
ーをボトムシャーシに嵌合させることにより、そのトップカバーをアース板の遊端部の先
端に当接させるようにした電子機器のアース接続装置において、前記メイン基板にアース
板の基端部を挿通するためのアース孔が貫設されると共に、該メイン基板のアース孔の周
辺にランドが形成され、前記アース板の基端部の先端位置を略Ｖ字状に折り曲げることよ
り形成された第１クランプ爪と、該アース板の基端部の遊端部寄り位置から切り出されて
第１クランプ爪とは逆方向に折り曲げられた第２クランプ爪とを有するクランプ部が設け
られ、第１、第２クランプ爪の先端間の間隔がメイン基板の厚さよりも小さく設定され、
前記アース板の遊端部が第２クランプ爪側に折り曲げられて該アース板の基端部に対して
所定角度傾斜されており、アース板の基端部をアース孔に挿通して第１クランプ爪の先端
をメイン基板の一面に形成したランドに当接させると共に、第２クランプ爪の先端をメイ
ン基板の他面に形成したランドに当接させ、トップカバーをボトムシャーシに嵌合させる
ことにより、そのトップカバーをアース板の遊端部の先端に当接させるようにしたことを
特徴とする電子機器のアース接続装置。
【発明の詳細な説明】
【技術分野】
【０００１】
本発明は、例えばディスク装置（ＤＶＤレコーダ、ＤＶＤプレーヤ）など電子機器のア
ース接続装置に関し、特に、アース板の取り付けを簡単な構造で容易に行なうことができ
るようにしたものである。
【背景技術】
【０００２】
従来、ディスク装置の一例として図６及び図７に示すものがあり、これはＤＶＤレコー
ダ（またはＤＶＤプレーヤ）であって、図６は同縦断面図、図７は同斜視図である。
【０００３】
図６及び図７に示すように、金属製ボトムシャーシ１ａ及び金属製トップカバー１ｂと
フロントパネル１ｃとを有する筐体１が設けられ、ボトムシャーシ１ａ上にプリント配線
基板からなるメイン基板２が配置され、該メイン基板２とトップカバー１ｂとを接続する
弾性変位可能で細長板状の金属製アース板３が設けられ、そのメイン基板２の下方にプリ
ント基板からなるサブ基板４が配置され、ボトムシャーシ１ａ上のメイン基板２及びサブ
基板４の側方にディスク装置本体５が配置されている。
【０００４】
前記ディスク装置本体５は、ディスクＤ載置用トレイ６を前後進ａ，ｂ可能に支持する
ローダーシャーシ７を有し、該ローダーシャーシ７内の上下動可能なトラバースシャーシ
（図示せず）にターンテーブル８と光ピックアップ（図示せず）とが搭載され、ターンテ
ーブル８に対向してローダーシャーシ７に架設した横桁９の中央収納部内にクランパ１０
が一定範囲内昇降可能に配置されており、トレイ６上のディスクＤをターンテーブル８で
持ち上げて、該ターンテーブル８とクランパ１０とでディスクＤをクランプし、そのター
ンテーブル８によりディスクＤを高速回転させ、該ディスクＤに記録されている情報を光
ピックアップにより読み取る。なお、１１はディスク装置本体５とメイン基板２とを接続
するフレキシブルフラットケーブル、１２はメイン基板２とサブ基板４とを接続するフレ
キシブルフラットケーブルである。
【０００５】
前記メイン基板２は、ボトムシャーシ１ａ上に起立させた複数（この例では３本）の脚
柱１４上に載置され、その適当な脚柱１４の上面に突設した位置決めピン１４ａにメイン
基板２の位置決め孔２ａを嵌合させると共に、複数のビス１５をメイン基板２の貫通孔を
通って残りの脚柱１４の上面に形成したねじ孔にねじ込むことにより、ボトムシャーシ１
ａに固定されている。
【０００６】
前記アース板３は、前記ビス１５によりメイン基板２に共締めされて該メイン基板２の
ランドに当接され、該アース板３の遊端部を斜め上方に延ばしており、トップカバー１ｂ
をボトムシャーシ１ａに嵌合させることにより、該トップカバー１ｂの裏面をアース板３
の遊端部の先端に当接させて、メイン基板２をトップカバー１ｂにグランド接続している
。なお、関連する技術として特許文献１に記載したものがある。
【特許文献１】特開平８−１８１４７６号公報
【発明の開示】
【発明が解決しようとする課題】
【０００７】
上記従来の構成では、アース板３をメイン基板２に固定するために、該アース板３の基
端部をビス１５でメイン基板２上に共締めしており、これでは、そのアース板３の固定に
手間と時間とがかかって面倒であり、作業能率が低い。
【０００８】
特許文献１に記載の技術に基づいて、メイン基板２とトップカバー１ｂとの間に合成樹
脂性シャーシを配置し、該シャーシにアース板３の略コ字状に折り曲げた中央部を係合さ
せることにより、該アース板３の両端をメイン基板２とトップカバー１ｂとに当接させる
ことが考えられるが、これでは、シャーシを用いている分だけ部品点数が増加して製作費
が高くつく。
【０００９】
本発明は、上記従来の欠点に鑑み、アース板の取り付けを簡単な構造で容易に行なうこ
とができるようにした電子機器のアース接続装置を提供することを目的としている。
【課題を解決するための手段】
【００１０】
上記目的を達成するため、請求項１に記載の発明は、筐体のボトムシャーシ上にプリン
ト配線基板からなるメイン基板が配置され、該メイン基板に弾性変位可能な金属製アース
板の基端部が固定され、前記筐体の金属製トップカバーをボトムシャーシに嵌合させるこ
とにより、そのトップカバーをアース板の遊端部の先端に当接させるようにした電子機器
のアース接続装置において、前記メイン基板にアース板の基端部を挿通するためのアース
孔が貫設されると共に、該メイン基板のアース孔の周辺にランドが形成され、前記アース
板の基端部を折り曲げてクランプ部が形成されており、アース板の基端部をアース孔に挿
通してクランプ部をメイン基板に係合させ、トップカバーをボトムシャーシに嵌合させる
ことにより、そのトップカバーをアース板の遊端部の先端に当接させると共に、前記クラ
ンプ部をメイン基板のランドに当接させるようにしたことを特徴としている。
【００１１】
請求項２に記載の発明は、請求項１に記載の発明において、前記クランプ部が、前記ア
ース板の基端部の先端位置を略Ｖ字状に折り曲げることより形成された第１クランプ爪と
、該アース板の基端部の遊端部寄り位置から切り出されて第１クランプ爪とは逆方向に折
り曲げられた第２クランプ爪とを有し、その第１、第２クランプ爪の先端間の間隔がメイ
ン基板の厚さよりも小さく設定されており、アース板の基端部をアース孔に挿通して第１
クランプ爪の先端をメイン基板の一面に形成したランドに当接させると共に、第２クラン
プ爪の先端をメイン基板の他面に形成したランドに当接させるようにしたことを特徴とし
ている。
【００１２】
請求項３に記載の発明は、請求項２に記載の発明において、前記アース板の遊端部が第
２クランプ爪側に折り曲げられて該アース板の基端部に対して所定角度傾斜されているこ
とを特徴としている。
【００１３】
請求項４に記載の発明は、筐体のボトムシャーシ上にプリント配線基板からなるメイン
基板が配置され、該メイン基板に弾性変位可能な金属製アース板の基端部が固定され、前
記筐体の金属製トップカバーをボトムシャーシに嵌合させることにより、そのトップカバ
ーをアース板の遊端部の先端に当接させるようにした電子機器のアース接続装置において
、前記メイン基板にアース板の基端部を挿通するためのアース孔が貫設されると共に、該
メイン基板のアース孔の周辺にランドが形成され、前記アース板の基端部の先端位置を略
Ｖ字状に折り曲げることより形成された第１クランプ爪と、該アース板の基端部の遊端部
寄り位置から切り出されて第１クランプ爪とは逆方向に折り曲げられた第２クランプ爪と
を有するクランプ部が設けられ、第１、第２クランプ爪の先端間の間隔がメイン基板の厚
さよりも小さく設定され、前記アース板の遊端部が第２クランプ爪側に折り曲げられて該
アース板の基端部に対して所定角度傾斜されており、アース板の基端部をアース孔に挿通
して第１クランプ爪の先端をメイン基板の一面に形成したランドに当接させると共に、第
２クランプ爪の先端をメイン基板の他面に形成したランドに当接させ、トップカバーをボ
トムシャーシに嵌合させることにより、そのトップカバーをアース板の遊端部の先端に当
接させるようにしたことを特徴としている。
【発明の効果】
【００１４】
請求項１に記載の発明によれば、クランプ部付きアース板の基端部をメイン基板のアー
ス孔に挿通するだけで、該アース板をクランプ部を介してメイン基板に固定することがで
き、その固定作業を迅速容易に行なうことができる。
【００１５】
また、メイン基板にアース孔を貫設し、アース板の基端部を折り曲げてクランプ部を形
成するだけでよいから、部品点数が増加せず、経済的である。
【００１６】
請求項２に記載の発明によれば、クランプ部が互いに逆方向に折り曲げられた第１、第
２のクランプ爪からなり、アース板の基端部をアース孔に挿通するだけで、その両クラン
プ爪でメイン基板をクランプして、アース板をメイン基板に固定することができると同時
に、各クランプ爪の先端をメイン基板の各ランドに当接させて、そのメイン基板とアース
板とを確実にグランド接続することができる。
【００１７】
請求項３に記載の発明によれば、トップカバーをボトムシャーシに嵌合させて、そのト
ップカバーによりアース板の遊端部の先端を押すと、その押圧力で各クランプ爪の先端が
各ランドに押し付けられるから、アース板をメイン基板に一層確実に固定することができ
ると共に、メイン基板及びトップカバーに対してアース板を一層確実にグランド接続する
ことができる。
【００１８】
請求項４に記載の発明は実施の一形態（図１〜図５参照）に対応するものであって、こ
れによれば、クランプ部付きアース板の基端部をメイン基板のアース孔に挿通するだけで
、該アース板をクランプ部を介してメイン基板に固定することができ、その固定作業を迅
速容易に行なうことができる。
【００１９】
また、メイン基板にアース孔を貫設し、アース板の基端部を折り曲げてクランプ部を形
成するだけでよいから、部品点数が増加せず、経済的である。
【００２０】
更に、クランプ部が互いに逆方向に折り曲げられた第１、第２のクランプ爪からなり、
アース板の基端部をアース孔に挿通するだけで、その両クランプ爪でメイン基板をクラン
プして、アース板をメイン基板に固定することができると同時に、各クランプ爪の先端を
メイン基板の各ランドに当接させて、そのメイン基板とアース板とを確実にグランド接続
することができる。
【００２１】
しかも、トップカバーをボトムシャーシに嵌合させて、そのトップカバーによりアース
板の遊端部の先端を押すと、その押圧力で各クランプ爪の先端が各ランドに強く押し付け
られるから、アース板をメイン基板に一層確実に固定することができると共に、メイン基
板及びトップカバーに対してアース板を一層確実にグランド接続することができる。
【発明を実施するための最良の形態】
【００２２】
図１〜図５は本発明の実施の一形態であるディスク装置を示すものであり、これはＤＶ
Ｄレコーダ（またはＤＶＤプレーヤ）であって、図１は同縦断面図、図２は同斜視図、図
３は同要部の斜視図、図４は同要部の縦断面図、図５（ａ）は同アース板の展開正面図、
図５（ｂ）は同展開側面図である。
【００２３】
図５（ａ）及び（ｂ）に示すように、アース板３の中央部に形成した折れ目Ｈを基準に
して、該アース板３が基端部３Ａと遊端部３Ｂとに分けられ、その基端部３Ａにクランプ
部３Ｃが形成されている。上記以外の構成は図６及び図７に示す構成とほぼ同じであるか
ら、同一部分に同一符号を付してその説明を省略する。
【００２４】
前記クランプ部３Ｃは、基端部３Ａの先端位置に形成した折れ目ｈを中心に略Ｖ字状に
折り曲げることにより形成された第１クランプ爪３ａと、基端部３Ａの遊端部３Ｂ寄り位
置の両側縁に形成した２つのＬ字状切れ目１７により切り出した部分を第１クランプ爪３
ａとは逆方向に折り曲げて形成した左右一対の第２クランプ爪３ｂとを有し、その第１、
第２クランプ爪３ａ，３ｂの先端間の間隔ｔ１がメイン基板２の厚さｔ２よりも小さく設
定されている（図４参照）。
【００２５】
図４に示すように、遊端部３Ｂが第２クランプ爪３ｂ側に折り曲げられて基端部３Ａに
対して所定角度α（この実施の形態では４５°）傾斜されている。なお、図５（ａ）に示
すように、遊端部３Ｂの先端中央に凹部１８を形成して二股部分３ｃが切り残されており
、その二股部分３ｃにより遊端部３Ｂの先端をトップカバー１ｂに確実に当接させること
ができる。
【００２６】
図３及び図４に示すように、メイン基板２の中央部にアース孔２０が貫設されており、
該アース孔２０の横幅ｋ１及び縦幅ｋ２がアース板３の横幅ｍ１及び厚さｍ２よりもわず
かに大きく設定されている。
【００２７】
図４に示すように、各第１、第２クランプ爪３ａ，３ｂの先端に対向して、メイン基板
２の両面を覆うレジスト膜２１のアース孔２０の周辺を部分的に剥離してランド２２が露
出されている。
【００２８】
アース板３の取付手順を説明すると、図４に仮想線で示すように、アース孔２０の上方
からアース板３を下降させることにより、図４に実線で示すように、アース板３の基端部
３Ａをアース孔２０に挿通して第１クランプ爪３ａの先端をメイン基板２の下面側ランド
２２に当接させると共に、第２クランプ爪３ｂの先端をメイン基板２の上面側ランド２２
に当接させる。続いて、トップカバー１ｂをボトムシャーシ１ａに嵌合させることにより
、そのトップカバー１ｂをアース板３の遊端部３Ｂの先端に当接させる。
【００２９】
上記構成によれば、アース板３の基端部３Ａをアース孔２０に挿通するだけで、該アー
ス板３をクランプ部３Ｃを介してメイン基板２に固定することができ、その固定作業を迅
速容易に行なうことができる。
【００３０】
また、メイン基板２にアース孔２０を貫設し、アース板３の基端部３Ａを折り曲げてク
ランプ部３Ｃを形成するだけでよいから、部品点数が増加せず、経済的である。
【００３１】
更に、アース板３の基端部３Ａをアース孔２０に挿通するだけで、各クランプ爪３ａ，
３ｂでメイン基板２をクランプして、アース板３をメイン基板２に固定することができる
と同時に、各クランプ爪３ａ，３ｂの先端をメイン基板２の各ランド２２に当接させて、
そのメイン基板２とアース板３とを確実にグランド接続することができる。
【００３２】
しかも、図４に示すように、トップカバー１ｂをボトムシャーシ１ａに嵌合させて、そ
のトップカバー１ｂによりアース板３の遊端部３Ｂの先端を押すと、その押圧力Ｆにより
第１クランプ爪３ａに上向きの押圧力ｆ１が作用すると共に、第２クランプ爪３ｂに下向
きの押圧力ｆ２が作用して、該各クランプ爪３ａ，３ｂの先端が各ランド２２に強く押し
付けられるから、アース板３をメイン基板２に一層確実に固定することができると共に、
メイン基板２及びトップカバー１ｂに対してアース板３を一層確実にグランド接続するこ
とができる。
【産業上の利用可能性】
【００３３】
上記実施の一形態ではディスク装置（ＤＶＤレコーダ、ＤＶＤプレーヤ）を例にあげて
説明したが、これに限定されるわけではなく、これ以外の各種の電子機器のアース接続装
置にも適用される。
【図面の簡単な説明】
【００３４】
【図１】本発明の実施の一形態であるディスク装置を示す縦断面図である。
【図２】同斜視図である。
【図３】同要部の斜視図である。
【図４】同要部の縦断面図である。
【図５】（ａ）は同アース板の展開正面図、（ｂ）は同展開側面図である。
【図６】従来例を示す縦断面図である。
【図７】同斜視図である。
【符号の説明】
【００３５】
１          筐体
１ａ        ボトムシャーシ
１ｂ        トップカバー
２          メイン基板
３          アース板
３Ａ        アース板の基端部
３Ｂ        アース板の遊端部
３Ｃ        クランプ部
３ａ        第１クランプ爪
３ｂ        第２クランプ爪
２０        アース孔
２２        ランド
ｔ１        第１、第２クランプ爪の先端間の間隔
ｔ２        メイン基板の厚さ
α          遊端部の傾斜角度
【図１】
2009081086.tif 000003
【図２】
2009081086.tif 000004
【図３】
2009081086.tif 000005
【図４】
2009081086.tif 000006
【図５】
2009081086.tif 000007
【図６】
2009081086.tif 000008
【図７】
2009081086.tif 000009